(57)【要約】【課題】本発明は、相手コネクタとの間の嵌合ずれを補償する基板接続用電気コネクタに関し、Ｘ，Ｙ，Ｚの３方向全てについて比較的大きな嵌合ずれを補償するとともに、コンタクトの狭ピッチ化に適した基板接続用電気コネクタを提供する。【解決手段】複数のコンタクト１３のそれぞれが、第１ハウジング１１に保持され相手コンタクトと接触する接触部１３１、第２ハウジング１２に保持され基板に接続される接続部１３２、及び接触部１３１及び接続部１３２を連結する可撓連結部１３３を有し、接触部１３１が接続部１３２に対して遊動可能な基板接続用電気コネクタ１０において、隣接するコンタクト１３は、可撓連結部１３３における曲げ部１３３１を高さ方向に沿って異なる位置に有し、第１及び第２ハウジング１１，１２は、一方から他方に延びる突起１２２ａと、他方に設けられて突起１２２ａが遊嵌する凹部１１１とを有する。【選択図】        図２
2005317263.tif 000002
【特許請求の範囲】
【請求項１】
第１ハウジング及び第２ハウジングと、複数のコンタクトとを具備し、各コンタクトが、前記第１ハウジングに保持され相手コンタクトと接触する接触部、前記第２ハウジングに保持され基板に接続される接続部、及び前記接触部及び前記接続部を連結する可撓連結部を有し、前記接触部が前記接続部に対して遊動可能な基板接続用電気コネクタにおいて、
隣接する前記コンタクトは、前記可撓連結部における曲げ部を高さ方向に沿って異なる位置に有し、
前記第１及び第２ハウジングは、一方から他方に延びる突起と、他方に設けられて該突起が遊嵌する凹部とを有することを特徴とする基板接続用電気コネクタ。
【請求項２】
前記コンタクトと並ぶ位置であって、かつ隣接するコンタクトの前記曲げ部に隣接する位置に、前記第１ハウジング又は第２ハウジングの壁が形成されていることを特徴とする請求項１記載の基板接続用電気コネクタ。
【発明の詳細な説明】
【技術分野】
【０００１】
本発明は、相手コンタクトと接触する接触部、基板に接続される接続部、及び接触部と接続部を連結する可撓連結部を有する複数のコンタクトを備え、可撓連結部の存在により相手コネクタとの間の嵌合ずれを補償する基板接続用電気コネクタに関する。
【背景技術】
【０００２】
従来より、上記のような可撓連結部の存在により相手コネクタとの間の嵌合ずれを補償した基板用電気コネクタが知られている。
【０００３】
例えば、特許文献１，２には、第１ハウジング及び第２ハウジングと、複数のコンタクトとを具備し、各コンタクトが、第１ハウジングに保持され相手コンタクトと接触する接触部、第２ハウジングに保持され基板に接続される接続部、および接触部及び接続部を連結する可携連結部を有して、接触部が接続部に対して遊動可能な基板接続用電気コネクタが開示されている。
【特許文献１】実開平６−４４０６３号公報
【特許文献２】特開２００４−１１９０５０号公報
【発明の開示】
【発明が解決しようとする課題】
【０００４】
上記の２つの特許文献１，２のうちの特許文献１に開示された基板接続用電気コネクタの場合、Ｘ，Ｙ，Ｚのいずれの方向への嵌合ずれも補償できる構成となっている。しかしながら、この特許文献１に開示された基板用電気コネクタの場合、隣接するコンタクトの可撓連結部どうしの間がハウジングの壁で仕切られており、小型化には不向きである。仮に、その壁を取り除いてコンタクトのピッチを狭めることを考えた場合、可撓連結部は、その名称のとおり可撓性を有しているため、壁を取り除いてコンタクトのピッチを狭めると隣接する可撓連結部どうしが接触してしまうおそれがある。
【０００５】
一方、上記の２つの特許文献１，２のうち特許文献２に開示された基板接続用電気コネクタの場合、コンタクト配列方向の両端部において第１及び第２ハウジングが補強ピンによって互いに連結されており、第１及び第２ハウジングが接離する方向であるＺ方向については相手コネクタとの嵌合ずれが補償されるものの、それとは垂直なＸ，Ｙ方向への第１及び第２ハウジングの相対的な遊動が制限され、Ｘ，Ｙ方向の嵌合ずれが補償されないという問題がある。
【０００６】
本発明は、Ｘ，Ｙ，Ｚの３方向全てについて比較的大きな嵌合ずれを補償するとともにコンタクトの狭ピッチ化に適した基板接続用電気コネクタを提供することを目的とする。
【課題を解決するための手段】
【０００７】
上記目的を達成する本発明の基板接続用電気コネクタは、第１ハウジング及び第２ハウジングと、複数のコンタクトとを具備し、各コンタクトが、第１ハウジングに保持され相手コンタクトと接触する接触部、第２ハウジングに保持され基板に接続される接続部、及び接触部及び接続部を連結する可撓連結部を有し、接触部が接続部に対して遊動可能な基板接続用電気コネクタにおいて、
隣接するコンタクトは、可撓連結部における曲げ部を高さ方向に沿って異なる位置に有し、
第１及び第２ハウジングは、一方から他方に延びる突起と、他方に設けられてその突起が遊嵌する凹部とを有することを特徴とする。
【０００８】
ここで、上記本発明の基板接続用電気コネクタにおいて、上記コンタクトと並ぶ位置であって、かつ隣接するコンタクトの曲げ部に隣接する位置に、第１ハウジング又は第２ハウジングの壁が形成されていることが好ましい。
【発明の効果】
【０００９】
本発明の基板接続用電気コネクタは、隣接するコンタクトが可撓連結部における曲げ部を高さ方向に沿って異なる位置に有するため、狭ピッチのコンタクトであっても可撓連結部が隣接するコンタクトに接触することが防止され信頼度の高い狭ピッチのコンタクトの基板接続用電気コネクタが実現する。
【００１０】
また、本発明の基板接続用電気コネクタは、その基板接続用電気コネクタを構成する第１及び第２ハウジングが、一方から他方に延びる突起と、他方に設けられてその突起が遊嵌する凹部とを有するため、Ｚ方向のみだけでなくＸ，Ｙ方向も含む３次元方向の嵌合ずれが補償される。
【００１１】
ここで、本発明の基板接続用電気コネクタにおいて、第１ハウジング又は第２ハウジングの壁を設けると、隣接するコンタクトどうしが接触する事故が一層確実に防止される。この第２ハウジングの壁はコンタクトと並ぶ位置に形成されているため、この壁の存在により狭ピッチ化が妨げられることはない。
【発明を実施するための最良の形態】
【００１２】
以下、本発明の実施の形態について説明する。
【００１３】
図１は、本発明の基板接続用電気コネクタの、相手コネクタとの嵌合面側を示す斜視図、図２は、図１に示す基板接続用電気コネクタの裏面側を示す斜視図である。
【００１４】
また、図３および図４は、図１，図２に示す基板接続用電気コネクタの、それぞれ一部を切り欠いて示す、部分断面平面図および嵌合面側の部分断面正面図であり、さらに、図５は、図４に示す矢印Ａ−Ａに沿う断面図である。但し、図５には、相手コネクタも示されている。
【００１５】
ここに示す基板接続用電気コネクタ１０は、第１ハウジング１１と、第２ハウジング１２と、配列された複数のコンタクト１３（１３ａ及び１３ｂ、本実施形態では、１．２７ｍｍピッチ配列）とを備えており、各コンタクト１３は、第１ハウジング１１に保持されて相手コネクタ２０（図５参照）のハウジング２１に保持された相手コンタクト２２と接触する接触部１３１、第２ハウジング１２に保持された基板（図示せず）に接続される接続部１３２、及び接触部１３１及び接続部１３２を連結する可撓連結部１３３を有する。この可撓連結部１３３は曲げ部１３３１を有し、これにより、接続部１３１は接続部１３２に対し遊動可能となっている。ここで、隣接するコンタクト１３は、可撓連結部１３３における曲げ部１３３１を高さ方向に沿って異なる位置に有する。本実施形態では、具体的には、隣接するコンタクト１３の可撓連結部１３３は、その曲げ部１３３１を、高さ方向に交互に異なる位置に有している。コンタクト１３の製造誤差や組立誤差が最も大きく影響するのは曲げ部１３３１の先端部分であり、この曲げ部１３３１が隣接するコンタクトで同じ位置に設けられると互いの曲げ部どうしが接触して短絡するおそれがあり、これを防止するためには、特許文献１のように、隣接するコンタクト同志の間に隔壁を設ける必要を生じる。これに対し、本実施形態の基板接続用電気コネクタ１０は、隣接するコンタクト１０の可撓連結部１３３が高さ方向に互いに異なる位置に曲げ部１３３１を有するため、コンタクト１３に製造誤差や組立誤差があっても、その曲げ部１３３１が隣接するコンタクト１３に接触することが防止され、コンタクトの狭ピッチ化を実現することができる。なお、コンタクト１３は、多数の通常のコンタクト１３ａと、コンタクト１３ａの接触部１３１より前方へ長い接触部（図示せず）を有するコンタクト１３ｂの２種類からなり、接触部の位置の違いにより、いわゆるシーケンシャル接続を達成する。コンタクト１３ｂは、ハウジング１１の後面の切欠１１２の位置に配置される。
【００１６】
さらに、本実施形態の基板接続用電気コネクタ１０は、第２ハウジング１２が、コンタクト１３と並ぶ位置であって、かつ隣接するコンタクト１３の曲げ部１３３１に隣接する位置に突出した壁１２１ａ，１２１ｂを有しているため、これらの壁１２１ａ、１２１ｂの存在により、製造誤差や組立誤差が如何に大きくても曲げ部１３３１が隣接するコンタクト１３の配置領域に進入することが確実に防止される。これらの壁１２１ａ，１２１ｂは、隣接するコンタクト同志の間ではなく、コンタクト１３と並ぶ位置に形成されている（具体的には、下方に位置する曲げ部１３３１の上に壁１２１ａが、上方に位置する曲げ部１３３１の下に壁１２１ｂがそれぞれ形成されている）ため、コンタクトの狭ピッチ化への妨げとはならない。
【００１７】
さらに、ここに示す基板接続用電気コネクタ１０は、図４に示すように、第２ハウジング１２に、基板に対する位置決め用のピン１２２が保持されており、このピン１２２はその上部１２２ａが第２ハウジング１２を突き抜けて第１ハウジング１１側に突出している。ピン１２２は、必要な強度及び、基板の半田接続を考慮して、黄銅の母材に錫めっきされたものである。第１ハウジング１１には、このピン１２２の、第１ハウジング１１側に突出した上部１２２ａを受け入れる、そのピン１２２の径よりも大きな内径を有する凹部１１１が形成され、ピン１２２の上部１２２ａは、その凹部１１１に遊嵌した状態となっている。したがって、ここで示す基板接続用電気コネクタ１０の第１ハウジング１１（したがってコンタクト１３の、第１ハウジング１１に保持された接触部１３１）は、ピン１２２の上部１２２ａと凹部１１１との遊嵌と、各コンタクト１３の可撓連結部１３３の曲げ部１３３１の存在とにより、Ｘ，Ｙ，Ｚの３方向いずれにも遊動し、この基板接続用電気コネクタ１０と、この基板接続用電気コネクタ１０に組み合う相手コネクタ２０との嵌合ずれが補償される。本実施形態では、上記の構成により、Ｘ，Ｙ，Ｚの３方向のいずれについても最大±１ｍｍの範囲内で嵌合ずれを補償することができる構造となっている。
【００１８】
尚、本実施形態では、隣接するコンタクトどうしの接触を一層確実に防止するために第２ハウジング１２に壁１２１ａ，１２１ｂが設けられているが、これらの壁１２１ａ，１２１ｂは、曲げ部１３３１が第１ハウジング１１内に位置する場合は、第１ハウジング１１に設けられる。また、本実施形態では、隣接するコンタクト１３の曲げ部１３３１は高さ方向に交互に異なる位置に形成されているが、交互である必要はなく、隣接するコンタクト同志で高さ方向に異なる位置に形成されていればよく、例えば循環的に高さ方向に３段に異なる位置に曲げ部が形成されていてもよい。
【図面の簡単な説明】
【００１９】
【図１】本発明の基板接続用コネクタの、相手コネクタとの嵌合面側を示す斜視図である。
【図２】図１に示す基板接続用コネクタの裏面側を示す斜視図である。
【図３】図１，図２に示す基板接続用コネクタの、一部を切り欠いて示す部分断面平面図である。
【図４】図１，図２に示す基板接続用コネクタの、一部を切り欠いて示す、嵌合面側の部分断面正面図である。
【図５】図４に示す矢印Ａ−Ａに沿う断面図である。
【符号の説明】
【００２０】
１０    基板接続用電気コネクタ
１１    第１ハウジング
１２    第２ハウジング
１１１    凹部
２０    コネクタ
２１    ハウジング
２２    相手コンタクト
１２１ａ，１２１ｂ    壁
１２２    ピン
１２２ａ    ピン上部（突起）
１３    コンタクト
１３１    接続部
１３２    接続部
１３３    可撓連結部
１３３１    曲げ部
【図１】
2005317263.tif 000003
【図２】
2005317263.tif 000004
【図３】
2005317263.tif 000005
【図４】
2005317263.tif 000006
【図５】
2005317263.tif 000007